(57)【要約】      （修正有）【課題】書類の要押印部の下に押印台のパットを適切且つ速やかに持ってくることが可能な押印台を提供する。【解決手段】押印台１０は、パット１２と、パット１２の全部又は一部の影を書類の裏面に投影する発光手段とを備えている。ここで、パット１２としては弾力性を有する板状体が好ましい。弾力性を有する板状体としては例えばシリコンゴム板を挙げることができる。発光手段はパット１２の周囲又はパット１２の裏側に設けられている。パット１２の周囲に発光手段が設けられる場合、発光手段はＬＥＤ１４で構成することができる。パット１２の裏側に発光手段が設けられる場合、発光手段はＬＥＤ、白熱電球、蛍光灯又はハロゲン電球を用いた投光器で構成することができる。【選択図】図２
0003231803.tif 000002
【実用新案登録請求の範囲】
【請求項１】
押印用のパットと、該パットの全部又は一部の影を書類に映す発光手段とを備えたことを特徴とする押印台。
【請求項２】
前記発光手段が前記パットの裏側に設けられた投光器であることを特徴とする請求項１に記載の押印台。
【請求項３】
前記パットが透光性を有するテーブル上に設けられていることを特徴とする請求項１又は２に記載の押印台。
【請求項４】
前記発光手段が前記パットの外周に設けられていることを特徴とする請求項１に記載の押印台。
【請求項５】
該発光手段が押印用のパットの周囲に少なくとも４個以上配置されていて、対角位置にある該発光手段を結ぶ仮想線がパットの中央付近で交わっていることを特徴とする請求項４に記載の押印台。
【請求項６】
前記発光手段が複数個、前記パットの外周に連続的に設けられていることを特徴とする請求項４に記載の押印台。
【請求項７】
前記パットが前記発光手段とともにケース内に収納・保持されていることを特徴とする請求項４〜６のいずれかに記載の押印台。
【請求項８】
前記発光手段が発光素子（ＬＥＤ）であることを特徴とする請求項１〜７のいずれかに記載の押印台。
【請求項９】
前記パットの表面が略平坦であることを特徴とする請求項１〜８のいずれかに記載の押印台。
【請求項１０】
前記パットが弾力を備えていることを特徴とする請求項１〜９のいずれかに記載の押印台。
【請求項１１】
該パットが円形又は矩形であることを特徴とする請求項１〜１０のいずれかに記載の押印台。
【考案の詳細な説明】
【技術分野】
【０００１】
本考案は、書類に印鑑を明瞭に押すために補助具として使用する押印台に関するものである。
【背景技術】
【０００２】
我々は、日々の生活の中で、役所で、或いは職場で、書類に印鑑を押さなければならない場合がある。印鑑は、だれの印鑑か区別できなければならないので、明瞭に押印されている必要がある。押印をするときに使用した机の上がでこぼこしていたり、机の上に他の書類が置かれていたりすると、印鑑が不明瞭になってしまう。そこで、書類に押印をする場合は、書類に印鑑を明瞭に押すために補助具として、押印台を用いることが多い。
【０００３】
押印台を用いて書類に押印をする場合、書類の下に押印台を差し込む。押印台は、書類の押印をすべき部位の下に置く。朱肉を付けた印章の先端面を、書類の押印をすべき部位（要押印部）に押し付ける。書類の要押印部は押印台の弾力のある押印面で下方から平らに柔らかく支持されるので、書類の要押印部に印章の先端面が密着し、書類に印鑑が明瞭に押されることになる。
【０００４】
ところで、押印台を用いて書類に印鑑を押す場合、押印台のサイズが小さいと、押印台は書類の下に隠れてしまい、書類の上からは見えないので、書類の要押印部の下に押印台を入れ損ない、押印をし損じることがある。通常、書類は一通しかない場合が多いので、押印をし損じると、困ることになる。
【０００５】
そこで、従来は、書類を何度かめくり、書類の要押印部と押印台の押印面とを交互に目で見て、この位置関係であれば書類の要押印部が押印台の押印面の上に載っているだろうという見当を付けて、書類に押印をしていた。しかし、見当を付けて位置関係を確認しているだけなので、見当違いをした場合は、押印し損なうおそれがあった。
【先行技術文献】
【特許文献】
【０００６】
【特許文献１】特開２００８−３０２６８２号公報
【特許文献２】特開２００６−９５７４２号公報
【特許文献３】特開２０００−２５５１５２号公報
【考案の概要】
【考案が解決しようとする課題】
【０００７】
本考案が解決しようとする課題は、押印すべき書類の表側の面と、該書類の下側に挿入した押印台とを同時に目視することができないので、書類の下にある押印台を書類の要押印部の下に正確に持ってくることが困難である点である。
【課題を解決するための手段】
【０００８】
本考案は、押印用のパットと、該パットの全部又は一部の影を書類の裏側に投影する発光手段とを備えたことを最も主要な特徴とする。
【０００９】
ここで、押印用のパットは弾力性を有する板状体からなる。弾力性を有する板状体としては、シリコンゴムなどからなるゴム板、不織布からなる板状体、プラスチック板、綿を布で包んで形成した板状体等を挙げることができるが、弾力性を有する板状体であれば、これら以外の板状体を用いてもよい。該パットの表面は略平坦か、やや湾曲している。該パットはどのような形状でもよいが、円形か矩形が好ましい。
【００１０】
また、該発光手段としては発光素子（ＬＥＤ）を使用することができるが、ＬＥＤ以外の発光手段、旧来から存在しているランプなどを用いてもよい。該発光手段は該パットの外周に設けてもよいし、該パットの裏側に設けてもよい。該発光手段を該パットの外周に設ける例としては、複数個の該発光手段を該パットの外周に連続的に設けたものや、４個の該発光手段を該パットの四隅の近傍に配置し、該発光手段を結ぶ仮想線が該パットの中央部付近で交わるようにしたものを挙げることができる。該パットと該発光手段はケース内に収納するようにしてもよい。
【００１１】
また、本考案に係る押印台は役所の受付の近くに置いてある記帳台の上に設けると、役所を利用する者にとって便利である。押印台を記帳台の上に設ける構造としては、例えば、机の上の天板を透光性を有するガラス板かプラスチック板で形成し、該天板の下に投光器を上向きに設け、該天板の上に該パットを置くようにした構造のものを挙げることができる。
【考案の効果】
【００１２】
本考案の押印台は、書類の下に隠れていて見えない押印用のパットの位置を該書類の上から視認することができるので、該書類の要押印部を該パットの上に速やかに持って行くことができ、従って、該書類に速やかに押印をすることができるという利点がある。
【００１３】
また、本考案の押印台は、書類の下に隠れていて見えない押印用のパットの位置を該書類の上から視認することができるので、該書類の要押印部を該パットの上に確実に持って行くことができ、従って、押印台が見えていない状況下で、書類に押印をし損じることなく、書類の所望部位にきれいに押印することできるという利点がある。
【００１４】
また、本考案の押印台は、書類の下に隠れていて見えない押印用のパットの位置を該書類の上から視認することができるので、該書類の要押印部を該パットの上に確実に持って行くことができ、従って、押印台が見えていない状況下で、書類に押印をし損じることなく、安心して押印をすることができるという利点がある。
【図面の簡単な説明】
【００１５】
【図１】図１は本考案に係る押印台の第一実施例を示す斜視図である。
【図２】図２は図１の押印台の分解斜視図である。
【図３】図３は本考案に係る押印台の第二実施例を示す斜視図である。
【図４】図４は本考案に係る押印台の第三実施例を示す斜視図である。
【図５】図５は図４のＡ−Ａ矢視断面図である。
【図６】図６は第三実施例の押印台の使用状態を示している説明図である。
【図７】図７は第三実施例の変形例を示す説明図である。
【考案を実施するための形態】
【００１６】
本考案は、押印台のパットの上に書類の要押印部を適切且つ速やかに持ってくるという目的を、簡単な構成で、使い勝手を悪化させることなく実現した。
【実施例１】
【００１７】
図１は本考案に係る押印台の第一実施例を示す斜視図、図２は図１の押印台の分解斜視図であり、これらの図において、１０は本考案野一実施例に係る押印台である。押印台１０は、押印用のパット１２と、パット１２の周囲に設けられたＬＥＤ１４と、パット１２及びＬＥＤ１４を囲繞しているケース１６とからなる。ＬＥＤ１４は発光素子であり、本考案における発光手段の一つである。
【００１８】
パット１２は弾力性を有する板状体からなる。弾力性を有する板状体としては、シリコンゴムのようなゴム板、不織布板、プラスチック板、綿を布で包んで形成した板状体等を挙げることができるが、弾力性を有する板状体であれば、これら以外の板状体を用いてもよい。パット１２は円形の形状をしており、パット１２の表面は略平坦になっているか、又は緩く湾曲している。
【００１９】
パット１２の外周には複数個のＬＥＤ１４が導電線１８に?がれた状態で連続的に設けられている。複数個のＬＥＤ１４と導電線１８はパット１２とケース１６の間に収納されている。ケース１６の内部には電源部（図示せず）が設けられ、ＬＥＤ１４は導電線１８を介して該電源部（図示せず）と電気的に繋がっている。
【００２０】
ケース１６は高さの低い有底円筒体からなる。ケース１６にはケース１６の側面から突出するスイッチ２０が設けられており、ＬＥＤ１４はスイッチ２０によりオン・オフできるようになっている。複数個のＬＥＤ１４と導電線１８は透光性のプラスチック板からなるリング状のカバー２２により上方から被覆されている。
【００２１】
次に、上記実施例１に係る押印台の使用方法について説明する。まず、押印台１０のスイッチ２０を押して複数個のＬＥＤ１４を点灯させ、この押印台１０を書類の下に置く。ＬＥＤ１４はパット１２の周囲に連続的に設けられているので、パット１２の円形の影が書類に投影され、パット１２の位置が書類の上から視認できるようになる。この状態で書類を手で水平方向に適宜に動かして、書類の要押印部をパット１２の影の上に持ってくる。または、書類の下に手を入れ、押印台１０を手で動かして、押印台１０を書類の要押印部の下に持ってくる。そして、書類の要押印部に印章を押し付けて押印をする。押印台１０は書類の要押印部の下に間違いなく存在しているので、安心して押印をすることができる。
【実施例２】
【００２２】
図３は本考案に係る押印台の第二実施例を示す斜視図であり、同図において、１０は本考案に係る押印台である。押印台１０は、押印用のパット１２と、パット１２の周囲に設けられたＬＥＤ１４と、パット１２及びＬＥＤ１４を支持している支持板２４とからなる。ＬＥＤ１４は発光素子であり、本考案における発光手段の一つである。
【００２３】
パット１２は弾力性を有する板状体からなる。弾力性を有する板状体としては、シリコンゴムのようなゴム板、不織布板、プラスチック板、綿を布で包んで形成した板状体等を挙げることができるが、弾力性を有する板状体であれば、これら以外の板状体を用いてもよい。パット１２の表面は略平坦になっているか、又は緩く湾曲している。パット１２の形状は矩形になっている。
【００２４】
ＬＥＤ１４は４個の発光素子からなる。ＬＥＤ１４は、支持板２４の、パット１２の角部の近傍に設けられている。ＬＥＤ１４を結ぶ仮想線Ｌ１と仮想線Ｌ２はパット１２の中央付近で交わっている。支持板２４の裏側には電源部（図示せず）が設けられている。ＬＥＤ１４は導電線（図示せず）を介して電源部（図示せず）と電気的に繋がっている。支持板２４の側部にはスイッチ２０が設けられており、ＬＥＤ１４はスイッチ２０によりオン・オフできるようになっている。
【００２５】
次に、上記実施例２に係る押印台の使用方法について説明する。まず、押印台１０のスイッチ２０を押して押印台１０の四隅のＬＥＤ１４を点灯させ、この押印台１０を書類の下に置く。押印台１０の四隅のＬＥＤ１４から出ている光りが書類を透過してくるので、書類の上からＬＥＤ１４の位置を知ることができる。対角位置にあるＬＥＤ１４を結ぶ交点はパット１２の中央付近になるようにＬＥＤ１４を配置してある。書類を手で持って水平方向に適宜に動かして、書類の要押印部をこの交点位置に持ってくる。または、書類の下に手を入れ、押印台１０を手で動かして、押印台１０を書類の要押印部の下に持ってくる。そして、書類の要押印部に押印する。押印台１０は書類の要押印部の下に間違いなくあるので、安心して押印をすることができる。
【実施例３】
【００２６】
図４は本考案に係る押印台の第三実施例を示す斜視図、図５は図４のＡ−Ａ矢視断面図であり、これらの図において、１０は本考案に係る押印台である。押印台１０は、押印用のパット１２と、パット１２の下方に設けられた投光器２６とからなる。パット１２と投光器１２は天板３６を介して対向している。すなわち、パット１２は記帳台２８の天板３６の上面に取り付けられ、投光器２６はパット１２の直下位置で、天板３６の裏面に取り付けられている。記帳台２８の天板３６は透光性を有するプラスチック板又はガラス板からなる。
【００２７】
パット１２は弾力性を有する板状体からなる。弾力性を有する板状体としては、シリコンゴムなどからなるゴム板、不織布からなる板状体、プラスチック板、綿を布で包んで形成した板状体等を挙げることができるが、弾力性を有する板状体であれば、これら以外の板状体を用いてもよい。パット１２の表面は略平坦になっているか、又は緩く湾曲している。パット１２の形状は円形でも矩形でもよい。
【００２８】
投光器２６は、図示しないが、内部にＬＥＤと、該ＬＥＤに電流を供給する電気回路とを備えている。投光器２６の電源は内部電源でも、外部電源でもよい。投光器２６の電源が内部電源の場合、投光器２６は内部に一時電池又は二次電池を有している。投光器２６はＬＥＤをオン・オフさせるスイッチを有している。投光器２６の電源が外部電源の場合、投光器２６と外部電源は電気コードにより接続されている。投光器２６の電源が外部電源の場合、ＬＥＤを常時点灯状態にしておいて、メインスイッチでＬＥＤをオフにすることができるようにしておいてもよいし、人感センサーで記帳台２８に人が近付いたときにＬＥＤをオンにすることができるようにしてもよい。
【００２９】
次に、上記実施例３に係る押印台の使用方法について図６を参照しながら説明する。まず、投光器２６のスイッチ（図示せず）をオンにして投光器２６のＬＥＤを点灯させ、図６に示すように、記帳台２８の天板３６の上に書類３８を置く。投光器２６の明かりはパット１２を介して書類３８の裏面を照らすので、書類３８の表面には、投光器２６によって明るくなった照明領域４０と、パット１２に遮られて形成された影領域４２とが形成される。書類３８を手で持って水平方向に適宜に動かして、書類３８の要押印部をパット１２の影領域４２の上に持っていく。そして、この状態で、書類３８の要押印部に印章４４の先端面を押し付けて押印する。パット１２は書類３８の要押印部の下に間違いなく存在しているので、安心して書類３８に押印をすることができる。この実施例３に係る押印台は市役所等の役所の受付に置いてある記帳台２８に取り付けておけば、来訪者が書類に押印をするときにとても便利である。
【００３０】
なお、図７に上記実施例３の変形例を示す。この変形例では、ＬＥＤの代わりに、旧来のランプを使用した投光器２６が天板３６の下方に天板３６から離して設けられている。投光器２６は天板３６の上のパット１２に向けられている。投光器２６は電源コード３０を介して壁のコンセント３２に繋がっている。電源コード３０の途中にはスイッチ３４が設けられている。スイッチ３４は記帳台２８の天板３６の表面に取り付けられている。この変形例は上記実施例と原理は一緒なので、使用方法も上記実施例３の使用方法と略同じになる。
【産業上の利用可能性】
【００３１】
本考案は、書類に印鑑を明瞭に押すために補助具として使用する押印台としての用途だけでなく、書類にきれいにサインをするときの台としての用途にも適用することができる。
【符号の説明】
【００３２】
１０  押印台
１２  パット
１４  ＬＥＤ
１６  ケース
１８  導電線
２０  スイッチ
２２  カバー
２４  支持板
２６  投光器
２８  記帳台
３０  電源コード
３２  コンセント
３４  スイッチ
３６  天板
３８  書類
Ｌ１ 仮想線
Ｌ２ 仮想線
【図１】
0003231803.tif 000003
【図２】
0003231803.tif 000004
【図３】
0003231803.tif 000005
【図４】
0003231803.tif 000006
【図５】
0003231803.tif 000007
【図６】
0003231803.tif 000008
【図７】
0003231803.tif 000009